(57)【要約】【課題】単純でコンパクトな構成により、蒸発器から室内への凝縮水の飛散を確実に防止できる空気調和機を提供する。【解決手段】空気調和機（10）は、圧縮機（53）と、放熱器（51,52）と、上下に配列される複数の扁平管（63）の間に伝熱部（65）が形成される蒸発器（52,51）とが接続されて冷凍サイクルが行われる冷媒回路（50）を備える。蒸発器（52,51）には、扁平管（63）及び伝熱部（65）の一方又は両方の表面に、空気中の水分を吸着する吸着剤が担持される。【選択図】図３
2013137151.tif 000002
【特許請求の範囲】
【請求項１】
圧縮機（53）と、放熱器（51,52）と、複数の扁平管（63）の間に伝熱部（65）が形成される蒸発器（52,51）とが接続されて冷凍サイクルが行われる冷媒回路（50）を備え、該蒸発器（52,51）で冷却した空気を室内へ供給する冷房運転を行う空気調和機であって、
上記蒸発器（52,51）には、上記扁平管（63）及び伝熱部（65）の一方又は両方の表面に、空気中の水分を吸着する吸着剤が担持されていることを特徴とする空気調和機。
【請求項２】
請求項１において、
上記冷媒回路（50）には、上記扁平管（63）及び上記伝熱部（65）をそれぞれ有する第１と第２の熱交換器（51,52）と、該第１熱交換器（51）が放熱器となり第２熱交換器（52）が蒸発器となる第１冷凍サイクルと第２熱交換器（52）が放熱器となり第１熱交換器（51）が蒸発器となる第２冷凍サイクルとを切り換えるための冷媒流路切換部（54）とが接続され、
上記第２熱交換器（52）を通過した室内空気が室内空間へ供給され且つ上記第１熱交換器（51）を通過した室外空気が室外空間へ排出される第１流路と、上記第１熱交換器（51）を通過した室内空気が室内空間へ供給され且つ上記第２熱交換器（52）を通過した室外空気が室外空間へ排出される第２流路とを切り換える空気流路切換部（40）と、
上記冷房運転において、上記第１冷凍サイクルと第２冷凍サイクルとを交互に繰り返し実行させ、且つ第１冷凍サイクル時に第１流路を形成して第２冷凍サイクル時に第２流路を形成するように上記冷媒流路切換部（54）及び空気流路切換部（40）を制御する制御部（90）とを備えていることを特徴とする空気調和機。
【請求項３】
請求項２において、
上記空気流路切換部（40）は、室内空気が第１熱交換器（51）又は第２熱交換器（52）をバイパスして室内空間へ供給するバイパス流路を形成するように構成され、
上記制御部（90）は、上記冷房運転において、上記２つの冷凍サイクルの切換直後において、室内空気が蒸発器側の熱交換器（52,51）をバイパスするように上記空気流路切換部（40）を制御することを特徴とする空気調和機。
【請求項４】
請求項２又は３において、
上記制御部（90）は、暖房運転において、上記第１冷凍サイクルと第２冷凍サイクルとを交互に繰り返し実行させ、且つ第１冷凍サイクル時に第２流路を形成して第２冷凍サイクル時に第１流路を形成するように上記冷媒流路切換部（54）及び空気流路切換部（40）を制御することを特徴とする空気調和機。
【請求項５】
請求項４において、
上記制御部（90）は、上記暖房運転において、上記２つの冷凍サイクルの切換直後において、室内空気が放熱器側の熱交換器（51,52）をバイパスするように上記空気流路切換部（40）を制御することを特徴とする空気調和機。
【発明の詳細な説明】
【技術分野】
【０００１】
本発明は、室内の少なくとも冷房を行う空気調和機に関するものである。
【背景技術】
【０００２】
従来より、蒸気圧縮式の冷凍サイクルを行いながら室内の冷房や暖房を行う空気調和機が知られている。例えば特許文献１に開示の空気調和機は、複数の扁平管が配列され、これらの内部にコルゲートフィン（伝熱部）が形成された熱交換器を備えている。各扁平管は、上下に扁平なチューブを構成し、空気流れに直交する方向に延びている。コルゲートフィンは、上下に蛇行する板状のフィンを構成し、隣り合う扁平管の間に介設される。
【０００３】
この空気調和機では、冷媒回路の冷媒の流路が切り換わることにより、上記の熱交換器が蒸発器又は凝縮器（放熱器）として機能する。冷房時に熱交換器が蒸発器となると、室内空気が熱交換器へ送られる。熱交換器では、冷媒が室内空気から吸熱して蒸発し、この室内空気が冷却される。熱交換器で冷却された室内空気は、室内へ供給される。
【０００４】
このように蒸発器となる熱交換器では、室内空気が冷却されることで、空気中の水蒸気が凝縮して凝縮水が発生することがある。発生した凝縮水が、空気とともに下流側へ流れて室内へ飛散すると、室内の快適性が損なわれてしまう。そこで、特許文献１に開示の空気調和機では、熱交換器の下流端部に、複数のコルゲートフィンに跨るように多数の線状の導水部材を固定し、発生した凝縮水をこの導水部材によって下方へ導くようにしている。
【先行技術文献】
【特許文献】
【０００５】
【特許文献１】特開２０１０−２５５９１６号公報
【発明の概要】
【発明が解決しようとする課題】
【０００６】
特許文献１に開示されている空気調和機では、多数のコルゲートフィンに跨るように、多数の線状の導水部材を固定する必要があり、熱交換器の構造の複雑化や大型化、あるいは熱交換器の加工コストや加工工数の増大を招いてしまう。また、発生した凝縮水が導水部材の隙間から下方へ流れる可能性があり、室内への凝縮水の飛散を確実に防止することができない虞もある。
【０００７】
本発明は、かかる点に鑑みてなされたものであり、その目的は、単純でコンパクトな構成により、蒸発器から室内への凝縮水の飛散を確実に防止できる空気調和機を提供することである。
【課題を解決するための手段】
【０００８】
第１の発明は、圧縮機（53）と、放熱器（51,52）と、複数の扁平管（63）の間に伝熱部（65）が形成される蒸発器（52,51）とが接続されて冷凍サイクルが行われる冷媒回路（50）を備え、該蒸発器（52,51）で冷却した空気を室内へ供給する冷房運転を行う空気調和機を対象とする。そして、この空気調和機は、上記蒸発器（52,51）には、上記扁平管（63）及び伝熱部（65）の一方又は両方の表面に、空気中の水分を吸着する吸着剤が担持されていることを特徴とする。
【０００９】
第１の発明の蒸発器（52,51）は、複数の扁平管（63）と、該扁平管（63）の間に形成される伝熱部（65）とを有する。室内空気が蒸発器（52,51）を通過すると、この蒸発器（52,51）では、室内空気の熱が、伝熱部（65）及び扁平管（63）を介して、扁平管（63）内を流れる冷媒に付与される。その結果、各扁平管（63）を流れる空気が蒸発する一方、この空気が冷却される。冷却された空気は、室内空間へ供給される。
【００１０】
本発明の蒸発器（52,51）には、扁平管（63）と伝熱部（65）のうちのいずれか一方又は両方の表面に、吸着剤が担持される。蒸発器（52,51）において、空気中の水蒸気が吸着剤に吸着される。これにより、蒸発器（52,51）の下流側で凝縮水が発生し、この凝縮水が飛散してしまうことを未然に回避できる。
【００１１】
第２の発明は、第１の発明において、上記冷媒回路（50）には、上記扁平管（63）及び上記伝熱部（65）をそれぞれ有する第１と第２の熱交換器（51,52）と、該第１熱交換器（51）が放熱器となり第２熱交換器（52）が蒸発器となる第１冷凍サイクルと第２熱交換器（52）が放熱器となり第１熱交換器（51）が蒸発器となる第２冷凍サイクルとを切り換えるための冷媒流路切換部（54）とが接続され、上記第２熱交換器（52）を通過した室内空気が室内空間へ供給され且つ上記第１熱交換器（51）を通過した室外空気が室外空間へ排出される第１流路と、上記第１熱交換器（51）を通過した室内空気が室内空間へ供給され且つ上記第２熱交換器（52）を通過した室外空気が室外空間へ排出される第２流路とを切り換える空気流路切換部（40）と、上記冷房運転において、上記第１冷凍サイクルと第２冷凍サイクルとを交互に繰り返し実行させ、且つ第１冷凍サイクル時に第１流路を形成して第２冷凍サイクル時に第２流路を形成するように上記冷媒流路切換部（54）及び空気流路切換部（40）を制御する制御部（90）とを備えていることを特徴とする。
【００１２】
第２の発明の冷媒回路（50）には、第１熱交換器（51）と第２熱交換器（52）が接続される。これらの熱交換器（51,52）では、扁平管（63）と伝熱部（65）の一方又は両方の表面に吸着剤が担持される。
【００１３】
冷房運転において、制御部（90）は、冷媒流路切換部（54）を制御することで、第１冷凍サイクルと第２冷凍サイクルとを交互に繰り返し実行させる。また、制御部（90）は、空気流路切換部（40）を制御することで、第１冷凍サイクル中に空気の流路を第１流路とし、第２冷凍サイクル中に空気の流路を第２流路とする。
【００１４】
第１冷凍サイクル時には、圧縮機（53）で圧縮された冷媒が、第１熱交換器（51）で放熱して減圧された後、第２熱交換器（52）で蒸発する。第１冷凍サイクル中に第１流路が形成されると、室内空気が蒸発器側の第２熱交換器（52）を通過する。第２熱交換器（52）では、室内空気が冷却され、この空気中の水蒸気分圧が高くなる。水蒸気分圧が高くなった空気中の水分は、第２熱交換器（52）の吸着剤に吸着される。第２熱交換器（52）で冷却された空気は、室内空間へ供給される。また、室外空気は、放熱器側の第１熱交換器（51）を通過する。第１熱交換器（51）では、冷媒が室外空気へ放熱し、この冷媒が凝縮する。第１熱交換器（51）を通過した空気は、室外空間へ排出される。
【００１５】
第２冷凍サイクル時には、圧縮機（53）で圧縮された冷媒が、第２熱交換器（52）で放熱して減圧された後、第１熱交換器（51）で蒸発する。第２冷凍サイクル中に第２流路が形成されると、室内空気が蒸発器側の第１熱交換器（51）を通過する。第１熱交換器（51）では、室内空気が冷却され、この空気中の水蒸気分圧が高くなる。水蒸気分圧が高くなった空気中の水分は、第１熱交換器（51）の吸着剤に吸着される。第１熱交換器（51）で冷却された空気は、室内空間へ供給される。また、室外空気は、放熱器側の第２熱交換器（52）を通過する。第２熱交換器（52）では、冷媒が室外空気へ放熱し、この冷媒が凝縮する。また、第２熱交換器（52）の吸着剤に水分が吸着されている状態では、冷媒によって吸着剤が加熱されることにより、この吸着剤から水分が脱離する。脱離した水分は、空気とともに室外空間へ排出される。
【００１６】
その後、再び第１冷凍サイクル中に第１流路が形成されると、蒸発器側の第２熱交換器（52）で空気が冷却され、この空気中の水分が吸着剤に吸着される。また、放熱器側の第１熱交換器（51）で空気が加熱され、この際に吸着剤に吸着された水分が空気中へ脱離する。以上のように、本発明では、蒸発器であった熱交換器（52,51）の吸着剤で吸着した水分が、その後にこの熱交換器（52,51）が放熱器となることで、空気中へ放出されて室外空間へ排出される。このため、上記の動作を繰り返すことで、熱交換器（51,52）における水分の吸着能力が低下してしまうことが回避され、室内空気中の水分を連続的に吸着することができる。
【００１７】
第３の発明は、第２の発明において、上記空気流路切換部（40）は、室内空気が第１熱交換器（51）又は第２熱交換器（52）をバイパスして室内空間へ供給するバイパス流路を形成するように構成され、上記制御部（90）は、上記冷房運転において、上記２つの冷凍サイクルの切換直後において、室内空気が蒸発器側の熱交換器（52,51）をバイパスするように上記空気流路切換部（40）を制御することを特徴とする。
【００１８】
第３の発明では、冷房運転において、室内空気が蒸発器側の熱交換器（52,51）をバイパスするバイパス動作が行われる。このバイパス動作について以下に詳細に説明する。
【００１９】
上述した冷房運転では、第１冷凍サイクルと第２冷凍サイクルとが交互に切り換わることで、それまで放熱器であった熱交換器（51,52）が蒸発器となる。このため、２つの冷凍サイクルの切換直後には、蒸発器に切り換わった熱交換器（52,51）の扁平管（63）や伝熱部（65）の温度は、未だ比較的高温の状態となる。このような状態の熱交換器（52,51）を室内空気が通過すると、この空気の温度が上昇する。その結果、室内空間へ供給される空気の温度も一時的に上昇することになり、室内の快適性が損なわれてしまう。そこで、本発明では、２つの冷凍サイクルの切換直後において、次のようにバイパス動作が行われる。
【００２０】
例えば第２冷凍サイクルから第１冷凍サイクルへ切り換わったとする。この場合、第２冷凍サイクル時に放熱器であった第２熱交換器（52）がその後の第１冷凍サイクルでは、蒸発器となる。この場合、制御部（90）は、空気流路切換部（40）を制御することにより、室内空気が第２熱交換器（52）をバイパスするバイパス流路が形成される。その結果、第２熱交換器（52）の温度が未だ比較的高い状態において、室内空気は、第２熱交換器（52）をバイパスして室内空間へ供給される。よって、室内へ供給される空気の温度が上昇してしまうことが回避される。また、室内空気がバイパスする状態の第２熱交換器（52）では、その扁平管（63）や伝熱部（65）の熱が、内部を流れる冷媒の蒸発熱として利用される。
【００２１】
また、例えば第１冷凍サイクルから第２冷凍サイクルへ切り換わったとする。この場合、第１冷凍サイクル時に放熱器であった第１熱交換器（51）がその後の第２冷凍サイクルでは、蒸発器となる。この場合、制御部（90）は、空気流路切換部（40）を制御することにより、室内空気が第１熱交換器（51）をバイパスするバイパス流路が形成される。その結果、第１熱交換器（51）の温度が未だ比較的高い条件において、室内空気は、第１熱交換器（51）をバイパスして室内空間へ供給される。よって、室内へ供給される空気の温度が上昇してしまうことが回避される。また、室内空気がバイパスする状態の第１熱交換器（51）では、その扁平管（63）や伝熱部（65）の熱が、内部を流れる冷媒の蒸発熱として利用される。
【００２２】
第４の発明は、第２又は第３の発明において、上記制御部（90）は、暖房運転において、上記第１冷凍サイクルと第２冷凍サイクルとを交互に繰り返し実行させ、且つ第１冷凍サイクル時に第２流路を形成して第２冷凍サイクル時に第１流路を形成するように上記冷媒流路切換部（54）及び空気流路切換部（40）を制御することを特徴とする。
【００２３】
第４の発明の空気調和機では、上述した冷房運転に加えて、次のような暖房運転が行われる。
【００２４】
暖房運転において、制御部（90）は、冷媒流路切換部（54）を制御することで、第１冷凍サイクルと第２冷凍サイクルとを交互に繰り返し実行させる。また、制御部（90）は、空気流路切換部（40）を制御することで、第１冷凍サイクル中に空気の流路を第２流路とし、第２冷凍サイクル中に空気の流路を第１流路とする。
【００２５】
第１冷凍サイクル時には、圧縮機（53）で圧縮された冷媒が、第１熱交換器（51）で放熱して減圧された後、第２熱交換器（52）で蒸発する。第１冷凍サイクル中に第２流路が形成されると、室内空気が放熱器側の第１熱交換器（51）を通過する。第１熱交換器（51）では、室内空気が加熱される。第１熱交換器（51）で加熱された空気は、室内空間へ供給される。また、室外空気は、蒸発器側の第２熱交換器（52）を通過する。第２熱交換器（52）では、冷媒が室外空気から吸熱して蒸発する。この際、室外空気中の水蒸気が第２熱交換器（52）の吸着剤に吸着される。
【００２６】
第２冷凍サイクル時には、圧縮機（53）で圧縮された冷媒が、第２熱交換器（52）で放熱して減圧された後、第１熱交換器（51）で蒸発する。第２冷凍サイクル中に第１流路が形成されると、室内空気が放熱器側の第２熱交換器（52）を通過する。第２熱交換器（52）では、室内空気が加熱される。また、第２熱交換器（52）の吸着剤に水分が吸着されている状態では、冷媒によって吸着剤が加熱されることにより、この吸着剤から水分が脱離する。脱離した水分は、空気とともに室内空間へ供給される。
【００２７】
その後、再び第１冷凍サイクル中に第２流路が形成されると、放熱器側の第１熱交換器（51）で空気が加熱され、且つ吸着剤から脱離した水分が空気中へ放出される。また、蒸発器側の第２熱交換器（52）で空気が冷却され、この際に発生する水分が吸着剤に吸着される。このため、上記の動作を繰り返すことで、放熱器側の熱交換器（51,52）の吸着剤から確実に水分を放出でき、暖房運転において、連続的に室内空間の加湿を行うことができる。
【００２８】
第５の発明は、第４の発明において、上記制御部（90）は、上記暖房運転において、上記２つの冷凍サイクルの切換直後において、室内空気が放熱器側の熱交換器（51,52）をバイパスするように上記空気流路切換部（40）を制御することを特徴とする。
【００２９】
第５の発明では、暖房運転において、室内空気が放熱器側の熱交換器（51,52）をバイパスするバイパス動作が行われる。このバイパス動作について以下に詳細に説明する。
【００３０】
上述した暖房運転では、第１冷凍サイクルと第２冷凍サイクルとが交互に切り換わることで、それまで蒸発器であった熱交換器（52,51）が放熱器となる。このため、２つの冷凍サイクルの切換直後には、放熱器に切り換わった熱交換器（51,52）の扁平管（63）や伝熱部（65）の温度は、未だ比較的低温の状態となる。このような状態の熱交換器（51,52）を室内空気が通過すると、この空気の温度が低下する。その結果、室内空間へ供給される空気の温度も一時的に低下することになり、室内の快適性が損なわれてしまう。そこで、本発明では、２つの冷凍サイクルの切換直後において、次のようにバイパス動作が行われる。
【００３１】
例えば第１冷凍サイクルから第２冷凍サイクルへ切り換わったとする。この場合、第１冷凍サイクル時に蒸発器であった第２熱交換器（52）がその後の第１冷凍サイクルでは、放熱器となる。この場合、制御部（90）は、空気流路切換部（40）を制御することにより、室内空気が第２熱交換器（52）をバイパスするバイパス流路が形成される。その結果、第２熱交換器（52）の温度が未だ比較的低い状態において、室内空気は、第２熱交換器（52）をバイパスして室内空間へ供給される。よって、室内へ供給される空気の温度が低下してしまうことが回避される。また、室内空気がバイパスする状態の第２熱交換器（52）では、冷媒の凝縮熱によって扁平管（63）や伝熱部（65）が加熱される。
【００３２】
また、例えば第２冷凍サイクルから第１冷凍サイクルへ切り換わったとする。この場合、第２冷凍サイクル時に蒸発器であった第１熱交換器（51）がその後の第１冷凍サイクルでは、放熱器となる。この場合、制御部（90）は、空気流路切換部（40）を制御することにより、室内空気が第１熱交換器（51）をバイパスするバイパス流路が形成される。その結果、第１熱交換器（51）の温度が未だ比較的低い条件において、室内空気は、第１熱交換器（51）をバイパスして室内空間へ供給される。よって、室内へ供給される空気の温度が低下してしまうことが回避される。また、室内空気がバイパスする状態の第１熱交換器（51）では、冷媒の凝縮熱によって扁平管（63）や伝熱部（65）が加熱される。
【発明の効果】
【００３３】
本発明では、蒸発器（52,51）において、扁平管（63）と伝熱部（65）のいずれか一方又は両方の表面に、空気中の水分を吸着する吸着剤を担持させている。このため、冷房運転において、空気中の水分を吸着剤に吸着させることができ、扁平管（63）や伝熱部（65）の近傍での凝縮水の発生を防ぐことができる。その結果、凝縮水が空気とともに室内空間へ飛散してしまうことを回避でき、この空気調和機の信頼性を確保できる。
【００３４】
また、本発明の蒸発器（52,51）は、扁平管（63）や伝熱部（65）の表面に吸着剤を担持させるだけの構造である。従って、蒸発器（52,51）の簡素化、小型化を図ることができ、且つ蒸発器（52,51）の加工コストや加工工数を低減できる。
【００３５】
第２の発明では、冷房運転において、一方の熱交換器（51,52）の吸着剤で吸着した水分を、他方の熱交換器（52,51）で放出して室外空間へ排出できる。その結果、蒸発器（52,51）の近傍の水分を連続的に吸着しながら、室内の冷房を行うことができる。
【００３６】
特に第３の発明では、２つの冷凍サイクルの切換直後において、室内へ供給される空気の温度が一時的に上昇してしまうのを防止できる。その結果、冷房運転時における、室内の快適性を向上できる。
【００３７】
第４の発明では、暖房運転において、一方の熱交換器（51,52）の吸着剤で吸着した水分を、他方の熱交換器（52,51）で放出して室内空間へ供給できる。その結果、室内の加湿と暖房とを同時且つ連続的に行うことができる。
【００３８】
特に第５の発明では、２つの冷凍サイクルの切換直後において、室内へ供給される空気の温度が一時的に低下してしまうのを防止できる。その結果、暖房運転時における、室内の快適性を向上できる。
【図面の簡単な説明】
【００３９】
【図１】図１は、実施形態の空気調和機の概略構造を示す平面図、右側面図、及び左側面図である。
【図２】図２は、実施形態に係る空気調和機の吸着熱交換器の立面図である。
【図３】図３は、実施形態に係る空気調和機の吸着熱交換器における図２のIII-III線断面図である。
【図４】図４は、実施形態に係る空気調和機の冷房運転時の動作を示す概略構成図であり、図４(Ａ)は第１バッチ動作を、図４(Ｂ)は第１バイパス動作を、図４(Ｃ)は第２バッチ動作を、図４(Ｄ)は第２バイパス動作を表したものである。
【図５】図５は、実施形態に係る空気調和機の暖房運転時の動作を示す概略構成図であり、図５(Ａ)は第１バッチ動作を、図５(Ｂ)は第１バイパス動作を、図５(Ｃ)は第２バッチ動作を、図５(Ｄ)が第２バイパス動作を表したものである。
【図６】図６は、その他の実施形態に係る空気調和機の吸着熱交換器における図３相当図である。
【発明を実施するための形態】
【００４０】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００４１】
本実施形態の空気調和機（10）は、室内の冷房と暖房とを切り換えて行うものである。空気調和機（10）は、取り込んだ室内空気（RA）を供給空気（SA）として室内へ供給する。同時に、空気調和機（10）は、取り込んだ室外空気（OA）を排出空気（EA）として室外へ排出する。
【００４２】
〈空気調和機の全体構成〉
空気調和機（10）について、図１を参照しながら説明する。なお、ここでの説明で用いる「上」「下」「左」「右」「前」「後」「手前」「奥」は、特にことわらない限り、空気調和機（10）を前面側から見た場合の方向を意味している。
【００４３】
空気調和機（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００４４】
ケーシング（11）は、やや扁平で高さが比較的低い直方体状に形成されている。このケーシング（11）には、外気吸込口（24）と、内気吸込口（23）と、給気口（22）と、排気口（21）とが形成されている。
【００４５】
外気吸込口（24）及び内気吸込口（23）は、ケーシング（11）の背面パネル部（13）に設けられている。外気吸込口（24）は、背面パネル部（13）の下側部分に設けられている。内気吸込口（23）は、背面パネル部（13）の上側部分に設けられている。給気口（22）は、ケーシング（11）の第１側面パネル部（14）に設けられている。第１側面パネル部（14）において、給気口（22）は、ケーシング（11）の前面パネル部（12）側の端部付近に配置されている。排気口（21）は、ケーシング（11）の第２側面パネル部（15）に設けられている。第２側面パネル部（15）において、排気口（21）は、前面パネル部（12）側の端部付近に配置されている。
【００４６】
ケーシング（11）の内部空間には、上流側仕切板（71）と、下流側仕切板（72）と、中央仕切板（73）と、側方仕切板（74）が設けられている。これらの仕切板（71〜74）は、何れもケーシング（11）の底板に起立した状態で設置されており、ケーシング（11）の内部空間をケーシング（11）の底板から天板に亘って区画している。
【００４７】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００４８】
ケーシング（11）内において、上流側仕切板（71）と背面パネル部（13）の間の空間は、上下二つの空間に仕切られており、上側の空間が内気側通路（32）を構成し、下側の空間が外気側通路（34）を構成している。内気側通路（32）は、内気吸込口（23）に接続するダクトを介して室内空間と連通している。外気側通路（34）は、外気吸込口（24）に接続するダクトを介して室外空間と連通している。
【００４９】
ケーシング（11）内における上流側仕切板（71）と下流側仕切板（72）の間には、中央仕切板（73）の右側の第１熱交換器室（37）と、中央仕切板（73）の左側の第２熱交換器室（38）とが形成されている。第１熱交換器室（37）は、上流側仕切板（71）、下流側仕切板（72）、中央仕切板（73）、及び側方仕切板（74）の間に区画されている。第２熱交換器室（38）は、上流側仕切板（71）、下流側仕切板（72）、中央仕切板（73）、及び第２側面パネル部（15）の間に区画されている。第１熱交換器室（37）には、第１熱交換器である第１吸着熱交換器（51）が収容されている。第２熱交換器室（38）には、第２熱交換器である第２吸着熱交換器（52）が収容されている。また、図示しないが、第１熱交換器室（37）には、冷媒回路（50）の電動膨張弁（55）が収容されている。各吸着熱交換器（51,52）の詳細は、後述する。
【００５０】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００５１】
上流側仕切板（71）には、開閉式のダンパ（41〜44）が四つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００５２】
下流側仕切板（72）には、開閉式のダンパ（45〜48）が四つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００５３】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００５４】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００５５】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００５６】
ケーシング（11）内において、側方仕切板（14）と第１側面パネル部（14）との間には、内気バイパス路（39）が形成されている。内気バイパス路（39）の流出端は、給気側通路（31）と接続している。上流側仕切板（71）には、内気バイパス路（39）の背面側にバイパスダンパ（49）が取り付けられる。バイパスダンパ（49）は、内気側通路（32）と給気側通路（31）とを断続する開閉ダンパを構成する。以上のような９つのダンパ（41〜49）は、ケーシング（11）内の空気の流路を切り換える空気流路切換部を構成する。
【００５７】
〈冷媒回路の構成〉
図４に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。また、図示しないが、冷媒回路（50）には、複数の温度センサ及び圧力センサが取り付けられている。
【００５８】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、四方切換弁（54）の第３のポートから第４のポートへ向かって順に、第１吸着熱交換器（51）と、電動膨張弁（55）と、第２吸着熱交換器（52）とが配置されている。
【００５９】
四方切換弁（54）は、第１のポートと第３のポートが連通して第２のポートと第４のポートが連通する第１状態（例えば図４(Ａ)に示す状態）と、第１のポートと第４のポートが連通して第２のポートと第３のポートが連通する第２状態（図４(Ｃ)に示す状態）とに切り換え可能となっている。四方切換弁（54）は、第１吸着熱交換器（51）が放熱器（凝縮器）となり第２吸着熱交換器（52）が蒸発器となる第１冷凍サイクルと、第２吸着熱交換器（52）が放熱器（凝縮器）となり第１吸着熱交換器（51）が蒸発器となる第２冷凍サイクルとを切り換えるための冷媒流路切換部を構成している。
【００６０】
圧縮機（53）は、圧縮機構とそれを駆動する電動機とが一つのケーシングに収容された全密閉型の圧縮機である。この圧縮機（53）の電動機には、インバータを介して交流が供給される。インバータの出力周波数（即ち、圧縮機の運転周波数）を変更すると、電動機とそれによって駆動される圧縮機構の回転速度が変化し、圧縮機（53）の運転容量が変化する。
【００６１】
〈コントローラの構成〉
図１に示すように、空気調和機（10）には、制御器であるコントローラ（90）が設けられている。コントローラ（90）は、空気調和機（10）の運転を、冷房運転と暖房運転とに切り換える。コントローラ（90）は、各ダンパ（41〜49）、各ファン（25,26）、圧縮機（53）、電動膨張弁（55）、及び四方切換弁（54）をそれぞれ制御する制御部を構成している（制御部の動作の詳細は後述する）。
【００６２】
〈吸着熱交換器の構成〉
図３に示すように、各吸着熱交換器（51,52）は、一つの第１ヘッダ集合管（61）と、一つの第２ヘッダ集合管（62）と、多数の扁平管（63）と、多数のフィン（64）とを備えている。第１ヘッダ集合管（61）、第２ヘッダ集合管（62）、扁平管（63）、及びフィン（64）は、何れもアルミニウム合金製の部材であって、互いにロウ付けによって接合されている。
【００６３】
第１ヘッダ集合管（61）と第２ヘッダ集合管（62）は、中空の細長い管状に形成されている。各吸着熱交換器（51,52）では、扁平管（63）の一端側に第１ヘッダ集合管（61）が立設され、扁平管（63）の他端側に第２ヘッダ集合管（62）が立設されている。つまり、第１ヘッダ集合管（61）と第２ヘッダ集合管（62）は、それぞれの軸方向が鉛直方向となるように上下に延びている。第１ヘッダ集合管（61）の上端部には、第１接続管（61a）が接続されている。第１ヘッダ集合管（61）は、第１接続管（61a）を介して冷媒回路（50）のガスラインと連通している。第２ヘッダ集合管（62）の下端部には、第２接続管（62a）が接続されている。第２ヘッダ集合管（62）は、第２接続管（62a）を介して冷媒回路（50）の液ライン（膨張弁（55）側のライン）と連通している。
【００６４】
扁平管（63）は、上下に扁平な長円形ないし矩形状の軸直角断面を有するチューブである。各扁平管（63）は、それぞれの平坦な側面が上下に向かい合うように、上下方向に配列されている。各扁平管（63）は、その一端部が第１ヘッダ集合管（61）に挿入され、その他端部が第２ヘッダ集合管（62）に挿入されている。
【００６５】
図４に示すように、各扁平管（63）の内部には、複数の冷媒通路（63a）が形成されている。各冷媒通路（63a）は、扁平管（63）の伸長方向に延びる通路である。各扁平管（63）において、複数の冷媒通路（63a）は、扁平管（63）の伸長方向と直交する幅方向に一列に並んでいる。各扁平管（63）の冷媒通路（63a）は、その一端が第１ヘッダ集合管（61）の内部空間に連通し、その他端が第２ヘッダ集合管（62）の内部空間に連通している。
【００６６】
フィン（64）は、上下に蛇行する波板状のコルゲートフィンであって、上下に隣り合う扁平管（63）の間に配置されている。フィン（64）には、扁平管（63）の伸長方向に配列される複数の伝熱部（65）が形成されている。伝熱部（65）は、隣り合う扁平管（63）の一方から他方に亘る板状に形成されている。伝熱部（65）には、該伝熱部（65）の一部を切り起こして形成される複数のルーバ（65a）が設けられている。これらのルーバ（65a）は、伝熱部（65）の前縁（即ち、風上側の端部）と実質的に平行となるように、上下に延びている。伝熱部（65）では、各ルーバ（65a）が風上側から風下側に向かって並んで形成されている。
【００６７】
伝熱部（65）の風下側端部には、更に風下側に突出する突出板部（65b）が連接している。突出板部（65b）は、伝熱部（65）よりも上下に張り出した台形板状に形成されている。吸着熱交換器（61,62）では、上下に隣り合う突出板部（65b,65b）が厚さ方向に重複し、実質的に接触している。
【００６８】
本実施形態の吸着熱交換器（51,52）には、扁平管（63）及びフィン（64）の表面に吸着剤が担持されている。吸着熱交換器（51,52）に担持される吸着剤としては、ゼオライト、シリカゲル、親水性の官能基を有する給気高分子材料など、空気中の水分を吸着できるものが用いられる。この吸着剤は、蒸発器となる吸着熱交換器（51,52）を通過する空気中の水蒸気を吸着する。
【００６９】
−運転動作−
本実施形態の空気調和機（10）は、冷房運転と暖房運転とを選択的に行う。冷房運転と暖房運転とでは、給気ファン（26）、排気ファン（25）、及び圧縮機（53）が運転される。また、空気調和機（10）は、取り込んだ室内空気（RA）を供給空気（SA）として室内空間へ供給し、取り込んだ室外空気（OA）を排出空気（EA）として室外空間へ排出する。
【００７０】
〈冷房運転〉
冷房運転では、第１冷凍サイクルと第２冷凍サイクルとが交互に繰り返し行われる。また、冷房運転では、第１バッチ動作、第１バイパス動作、第２バッチ動作、及び第２バイパス動作が順に繰り返し行われる。
【００７１】
〈冷房運転時のバッチ動作〉
まず、冷房運転時の第１バッチ動作及び第２バッチ動作について説明する。第１バッチ動作と第２バッチ動作の実行時間は、数分程度（例えば１５分）に設定される。
【００７２】
［冷房運転時の第１バッチ動作］
冷房運転時の第１バッチ動作では、第２内気側ダンパ（42）、第１外気側ダンパ（43）、第２給気側ダンパ（46）、及び第１排気側ダンパ（47）が開状態となり、第１内気側ダンパ（41）、第２外気側ダンパ（44）、第１給気側ダンパ（45）、第２排気側ダンパ（48）、及びバイパスダンパ（49）が閉状態となる。その結果、ケーシング（11）の内部には、室内空気が第２吸着熱交換器（52）を通過して室内空間へ供給され且つ室外空気が第１吸着熱交換器（51）を通過して室外空間へ排出される第１流路が形成される。また、冷房運転時の第１バッチ動作では、四方切換弁（54）が第１状態となり、第１吸着熱交換器（51）が放熱器となり第２吸着熱交換器（52）が蒸発器となる第１冷凍サイクルが行われる。
【００７３】
図４(Ａ)に示す冷房運転時の第１バッチ動作では、室内空気が内気吸込口（23）、内気側通路（32）を順に通過して第２熱交換器室（38）へ流入し、第２吸着熱交換器（52）を通過する。第２吸着熱交換器（52）では、空気の熱が冷媒の蒸発熱として奪われ、この空気が冷却される。この空気が冷却されると、この空気中の水蒸気の分圧が高くなる。このため、この空気中の水分が、第２吸着熱交換器（52）の吸着剤に吸着される。第２吸着熱交換器（52）で冷却された空気は、給気側通路（31）、給気口（22）を順に通過して、室内空間へ供給される。
【００７４】
一方、室外空気は、外気吸込口（24）、外気側通路（34）を順に通過して第１熱交換器室（37）へ流入し、第１吸着熱交換器（51）を通過する。第１吸着熱交換器（51）では、冷媒の凝縮熱が空気へ放出される。また、第２バッチ動作（詳細は後述する）において、第１吸着熱交換器（51）の吸着剤に水分が吸着されている場合には、冷媒によって加熱された吸着剤から水分が脱離し、この水分が空気へ放出される。第１吸着熱交換器（51）を通過した空気は、排気側通路（33）、排気口（21）を順に通過して、室外空間へ排出される。
【００７５】
［冷房運転時の第２バッチ動作］
冷房運転時の第２バッチ動作では、第１内気側ダンパ（41）、第２外気側ダンパ（44）、第１給気側ダンパ（45）、及び第２排気側ダンパ（48）が開状態となり、第２内気側ダンパ（42）、第１外気側ダンパ（43）、第２給気側ダンパ（46）、第１排気側ダンパ（47）、及びバイパスダンパ（49）が閉状態となる。その結果、ケーシング（11）の内部には、室内空気が第１吸着熱交換器（51）を通過して室内空間へ供給され且つ室外空気が第２吸着熱交換器（52）を通過して室外空間へ排出される第２流路が形成される。また、冷房運転時の第２バッチ動作では、四方切換弁（54）が第２状態となり、第２吸着熱交換器（52）が放熱器となり第１吸着熱交換器（51）が蒸発器となる第２冷凍サイクルが行われる。
【００７６】
図４(Ｃ)に示す冷房運転時の第２バッチ動作では、室内空気が内気吸込口（23）、内気側通路（32）を順に通過して第１熱交換器室（37）へ流入し、第１吸着熱交換器（51）を通過する。第１吸着熱交換器（51）では、空気の熱が冷媒の蒸発熱として奪われ、この空気が冷却される。この空気が冷却されると、空気中の水蒸気分圧が高くなる。このため、空気中の水蒸気が第１吸着熱交換器（51）の吸着剤に吸着される。第１吸着熱交換器（51）で冷却された空気は、給気側通路（31）、給気口（22）を順に通過して、室内空間へ供給される。
【００７７】
一方、室外空気は、外気吸込口（24）、外気側通路（34）を順に通過して第２熱交換器室（38）へ流入し、第２吸着熱交換器（52）を通過する。第２吸着熱交換器（52）では、冷媒の凝縮熱が空気へ放出される。また、上述のように第１バッチ動作において、第２吸着熱交換器（52）の吸着剤に水分が吸着されている場合には、冷媒によって加熱された吸着剤から水分が脱離し、この水分が空気へ放出される。第２吸着熱交換器（52）を通過した空気は、排気側通路（33）、排気口（21）を順に通過して、室外空間へ排出される。
【００７８】
〈冷房運転時のバイパス動作〉
冷房運転において、上述の第１バッチ動作と第２バッチ動作とを直ぐに切り換えるようにすると、供給空気（SA）の温度が急上昇して冷房運転時の室内の快適性が損なわれてしまう。この点について具体例を挙げながら詳細に説明する。
【００７９】
冷房運転の第１バッチ動作（図４(Ａ)を参照）では、比較的高温の室外空気が第１吸着熱交換器（51）を通過している。また、第１吸着熱交換器（51）の内部には、高温高圧の冷媒が流れている。従って、第１吸着熱交換器（51）では、扁平管（63）やフィン（64）、あるいはこれらの表面に担持された吸着剤の温度が比較的高温となっている。この状態から、上記の第２バッチ動作（図４(Ｃ)を参照）へ直ぐに切り換わると、室内空気は、未だ高温状態の第１吸着熱交換器（51）を通過して室内へ供給される。そうなると、第２バッチ動作の開始直後には、第１吸着熱交換器（51）で加熱されて高温となった空気が室内へ供給されてしまう。同様に、冷房運転の第２バッチ動作から第１バッチ動作へ直ぐに切り換わると、室内空気は、未だ高温状態の第２吸着熱交換器（52）を通過して室内へ供給される。そうなると、第１バッチ動作の開始直後にも、第２吸着熱交換器（52）で加熱されて高温となった空気が室内へ供給されてしまう。そこで、本実施形態では、冷房運転時において、供給空気（SA）の温度が上昇しないように、各バッチ動作の間にバイパス動作を実行する。
【００８０】
［冷房運転時の第１バイパス動作］
第１バッチ動作が終了すると、図４(Ｂ)に示す第１バイパス動作が実行される。第１バイパス動作が実行されると、冷媒回路（50）では、四方切換弁（54）が第２状態に設定され、第１冷凍サイクルから第２冷凍サイクルへと切り換わる。また、冷房運転時の第１バイパス動作では、第２外気側ダンパ（44）、第２排気側ダンパ（48）、及びバイパスダンパ（49）が開状態となり、第１内気側ダンパ（41）、第２内気側ダンパ（42）、第１外気側ダンパ（43）、第１給気側ダンパ（45）、第２給気側ダンパ（46）、及び第１排気側ダンパ（47）が閉状態となる。その結果、ケーシング（11）の内部には、室外空気が第２吸着熱交換器（52）を通過して室外空間へ排出される排気流路と、室内空気が第１吸着熱交換器（51）をバイパスして室内へ供給されるバイパス流路とが形成される。
【００８１】
図４(Ｂ)に示す冷房運転時の第１バイパス動作では、室外空気が外気吸込口（24）、外気側通路（34）を順に通過して第２熱交換器室（38）へ流入し、第２吸着熱交換器（52）を通過する。第２吸着熱交換器（52）では、冷媒の凝縮熱が空気へ放出される。また、上述のように第１バッチ動作において、第２吸着熱交換器（52）の吸着剤に水分が吸着されている場合には、冷媒によって加熱された吸着剤から水分が脱離し、この水分が空気へ放出される。第２吸着熱交換器（52）を通過した空気は、排気側通路（33）、排気口（21）を順に通過して、室外空間へ排出される。
【００８２】
一方、室内空気は、内気吸込口（23）、内気側通路（32）を順に通過して内気バイパス流路（39）へ流入する。つまり、第１バイパス動作では、室内空気が第１吸着熱交換器（51）をバイパスし、給気側通路（31）、給気口（22）を順に通過して、室内空間へ供給される。このため、室内空気が、比較的高温の第１吸着熱交換器（51）によって加熱されることがなく、室内空間に高温の空気が供給されることもない。
【００８３】
また、この第１バイパス動作では、第１吸着熱交換器（51）の温度が速やかに低下していく。即ち、第１バイパス動作が実行されると、上述の第１バッチ動作において放熱器であった第１吸着熱交換器（51）が蒸発器に切り換わる。このため、第１バイパス動作の開始時には、第１吸着熱交換器（51）の温度は比較的高温となっている。一方、第１バイパス動作が実行されると、第１吸着熱交換器（51）の内部の冷媒は、扁平管（63）やフィン（64）等の熱を奪って蒸発していく。第１熱交換器室（37）は、各ダンパ（41,43,45,47）によって閉じきられるため、第１吸着熱交換器（51）は速やかに冷却されて温度が低くなる。
【００８４】
第１バイパス動作が実行されてから所定時間が経過すると、上述した第２バッチ動作が実行される。すると、室内空気は、第１吸着熱交換器（51）を通過して室内空間へ供給される。しかしながら、第１吸着熱交換器（51）は、その直前に実行された第１バイパス動作において冷却されている。このため、冷房運転の第２バッチ動作の切換直後において、第１吸着熱交換器（51）を通過する空気が加熱され、比較的高温の空気が室内空間へ供給されることが回避される。
【００８５】
［冷房運転時の第２バイパス動作］
第２バッチ動作が終了すると、図４(Ｄ)に示す第２バイパス動作が実行される。第２バイパス動作が実行されると、冷媒回路（50）では、四方切換弁（54）が第１状態に設定され、第２冷凍サイクルから第１冷凍サイクルへと切り換わる。また、冷房運転時の第２バイパス動作では、第１外気側ダンパ（43）、第１排気側ダンパ（47）、及びバイパスダンパ（49）が開状態となり、第１内気側ダンパ（41）、第２内気側ダンパ（42）、第２外気側ダンパ（44）、第１給気側ダンパ（45）、第２給気側ダンパ（46）、及び第２排気側ダンパ（48）が閉状態となる。その結果、ケーシング（11）の内部には、室外空気が第１吸着熱交換器（51）を通過して室外空間へ排出される排気流路と、室内空気が第２吸着熱交換器（52）をバイパスして室内へ供給されるバイパス流路とが形成される。
【００８６】
図４(Ｄ)に示す冷房運転時の第２バイパス動作では、室外空気が外気吸込口（24）、外気側通路（34）を順に通過して第１熱交換器室（37）へ流入し、第１吸着熱交換器（51）を通過する。第１吸着熱交換器（51）では、冷媒の凝縮熱が空気へ放出される。また、上述のように第２バッチ動作において、第１吸着熱交換器（51）の吸着剤に水分が吸着されている場合には、冷媒によって加熱された吸着剤から水分が脱離し、この水分が空気へ放出される。第１吸着熱交換器（51）を通過した空気は、排気側通路（33）、排気口（21）を順に通過して、室外空間へ排出される。
【００８７】
一方、室内空気は、内気吸込口（23）、内気側通路（32）を順に通過して内気バイパス流路（39）へ流入する。つまり、第２バイパス動作では、室内空気が第２吸着熱交換器（52）をバイパスし、給気側通路（31）、給気口（22）を順に通過して、室内空間へ供給される。このため、室内空気が、比較的高温の第２吸着熱交換器（52）によって加熱されることがなく、室内空間に高温の空気が供給されることもない。
【００８８】
また、この第２バイパス動作では、第２吸着熱交換器（52）の温度が速やかに低下していく。即ち、第２バイパス動作が実行されると、上述の第２バッチ動作において放熱器であった第２吸着熱交換器（52）が蒸発器に切り換わる。このため、第２バイパス動作の開始時には、第２吸着熱交換器（52）の温度は比較的高温となっている。一方、第２バイパス動作が実行されると、第２吸着熱交換器（52）の内部の冷媒は、扁平管（63）やフィン（64）等の熱を奪って蒸発していく。第２熱交換器室（38）は、各ダンパ（42,44,46,48）によって閉じきられるため、第２吸着熱交換器（52）は速やかに冷却されて温度が低くなる。
【００８９】
第２バイパス動作が実行されてから所定時間が経過すると、上述した第１バッチ動作が実行される。すると、室内空気は、第２吸着熱交換器（52）を通過して室内空間へ供給される。しかしながら、第２吸着熱交換器（52）は、その直前に実行された第２バイパス動作において冷却されている。このため、冷房運転の第２バッチ動作の切換直後において、第２吸着熱交換器（52）を通過する空気が加熱され、比較的高温の空気が室内空間へ供給されることが回避される。
【００９０】
〈暖房運転〉
暖房運転では、第１冷凍サイクルと第２冷凍サイクルとが交互に繰り返し行われる。また、暖房運転では、第１バッチ動作、第１バイパス動作、第２バッチ動作、及び第２バイパス動作が順に繰り返し行われる。
【００９１】
〈暖房運転時のバッチ動作〉
まず、暖房運転時の第１バッチ動作及び第２バッチ動作について説明する。第１バッチ動作と第２バッチ動作の実行時間は、数分程度（例えば１５分）に設定される。
【００９２】
［暖房運転時の第１バッチ動作］
暖房運転時の第１バッチ動作では、第２内気側ダンパ（42）、第１外気側ダンパ（43）、第２給気側ダンパ（46）、及び第１排気側ダンパ（47）が開状態となり、第１内気側ダンパ（41）、第２外気側ダンパ（44）、第１給気側ダンパ（45）、第２排気側ダンパ（48）、及びバイパスダンパ（49）が閉状態となる。その結果、ケーシング（11）の内部には、室内空気が第２吸着熱交換器（52）を通過して室内空間へ供給され且つ室外空気が第１吸着熱交換器（51）を通過して室外空間へ排出される第１流路が形成される。また、暖房運転時の第１バッチ動作では、四方切換弁（54）が第２状態となり、第２吸着熱交換器（52）が放熱器となり第１吸着熱交換器（51）が蒸発器となる第２冷凍サイクルが行われる。
【００９３】
図５(Ａ)に示す暖房運転時の第１バッチ動作では、室内空気が内気吸込口（23）、内気側通路（32）を順に通過して第２熱交換器室（38）へ流入し、第２吸着熱交換器（52）を通過する。第２吸着熱交換器（52）では、冷媒の凝縮熱が空気中へ放出され、この空気が加熱される。また、第２バッチ動作（詳細は後述する）において、第２吸着熱交換器（52）の吸着剤に水分が吸着されている場合には、冷媒によって加熱された吸着剤から水分が脱離し、この水分が空気へ放出される。以上のようにして第２吸着熱交換器（52）で加熱及び加湿された空気は、給気側通路（31）、給気口（22）を順に通過して、室内空間へ供給される。
【００９４】
一方、室外空気は、外気吸込口（24）、外気側通路（34）を順に通過して第１熱交換器室（37）へ流入し、第１吸着熱交換器（51）を通過する。第１吸着熱交換器（51）では、空気の熱が冷媒の蒸発熱として奪われ、この空気が冷却される。この空気が露点温度以下まで冷却されると、空気中の水蒸気分圧が高くなる。このため、この空気中の水蒸気が、第２吸着熱交換器（52）の吸着剤に吸着される。第２吸着熱交換器（52）を通過した空気は、排気側通路（33）、排気口（21）を順に通過して、室外空間へ排出される。
【００９５】
［暖房運転時の第２バッチ動作］
暖房運転時の第２バッチ動作では、第１内気側ダンパ（41）、第２外気側ダンパ（44）、第１給気側ダンパ（45）、及び第２排気側ダンパ（48）が開状態となり、第２内気側ダンパ（42）、第１外気側ダンパ（43）、第２給気側ダンパ（46）、第１排気側ダンパ（47）、及びバイパスダンパ（49）が閉状態となる。その結果、ケーシング（11）の内部には、室内空気が第１吸着熱交換器（51）を通過して室内空間へ供給され且つ室外空気が第２吸着熱交換器（52）を通過して室外空間へ排出される第２流路が形成される。また、暖房運転時の第２バッチ動作では、四方切換弁（54）が第１状態となり、第１吸着熱交換器（51）が放熱器となり第２吸着熱交換器（52）が蒸発器となる第１冷凍サイクルが行われる。
【００９６】
図５(Ｃ)に示す暖房運転時の第２バッチ動作では、室内空気が内気吸込口（23）、内気側通路（32）を順に通過して第１熱交換器室（37）へ流入し、第１吸着熱交換器（51）を通過する。第１吸着熱交換器（51）では、冷媒の凝縮熱が空気中へ放出され、この空気が加熱される。また、上述した第１バッチ動作において、第１吸着熱交換器（51）の吸着剤に凝縮水が吸着されている場合には、冷媒によって加熱された吸着剤から水分が脱離し、この水分が空気へ放出される。以上のようにして第１吸着熱交換器（51）で加熱及び加湿された空気は、給気側通路（31）、給気口（22）を順に通過して、室内空間へ供給される。
【００９７】
一方、室外空気は、外気吸込口（24）、外気側通路（34）を順に通過して第２熱交換器室（38）へ流入し、第２吸着熱交換器（52）を通過する。第２吸着熱交換器（52）では、空気の熱が冷媒の蒸発熱として奪われ、この空気が冷却される。この空気が露点温度以下まで冷却されると、空気中の水蒸気が凝縮して凝縮水が発生する。この凝縮水は、第２吸着熱交換器（52）の吸着剤に吸着される。第２吸着熱交換器（52）を通過した空気は、排気側通路（33）、排気口（21）を順に通過して、室外空間へ排出される。
【００９８】
〈暖房運転時のバイパス動作〉
暖房運転において、上述の第１バッチ動作と第２バッチ動作とを直ぐに切り換えるようにすると、供給空気（SA）の温度が急低下して暖房運転時の室内の快適性が損なわれてしまう。この点について具体例を挙げながら詳細に説明する。
【００９９】
暖房運転の第１バッチ動作（図５(Ａ)を参照）では、比較的低温の室外空気が第１吸着熱交換器（51）を通過している。また、第１吸着熱交換器（51）の内部には、低温低圧の冷媒が流れている。従って、第１吸着熱交換器（51）では、扁平管（63）やフィン（64）、あるいはこれらの表面に担持された吸着剤の温度が比較的低温となっている。この状態から、上記の第２バッチ動作（図５(Ｃ)を参照）へ直ぐに切り換わると、室内空気は、未だ低温状態の第１吸着熱交換器（51）を通過して室内へ供給される。そうなると、第２バッチ動作の開始直後には、第１吸着熱交換器（51）で冷却されて低温となった空気が室内へ供給されてしまう。同様に、暖房運転の第２バッチ動作から第１バッチ動作へ直ぐに切り換わると、室内空気は、未だ低温状態の第２吸着熱交換器（52）を通過して室内へ供給される。そうなると、第１バッチ動作の開始直後にも、第２吸着熱交換器（52）で冷却されて低温となった空気が室内へ供給されてしまう。そこで、本実施形態では、暖房運転時において、供給空気（SA）の温度が低下しないように、各バッチ動作の間にバイパス動作を実行する。
【０１００】
［暖房運転時の第１バイパス動作］
第１バッチ動作が終了すると、図５(Ｂ)に示す第１バイパス動作が実行される。第１バイパス動作が実行されると、冷媒回路（50）では、四方切換弁（54）が第１状態に設定され、第２冷凍サイクルから第１冷凍サイクルへと切り換わる。また、暖房運転時の第１バイパス動作では、第２外気側ダンパ（44）、第２排気側ダンパ（48）、及びバイパスダンパ（49）が開状態となり、第１内気側ダンパ（41）、第２内気側ダンパ（42）、第１外気側ダンパ（43）、第１給気側ダンパ（45）、第２給気側ダンパ（46）、及び第１排気側ダンパ（47）が閉状態となる。その結果、ケーシング（11）の内部には、室外空気が第２吸着熱交換器（52）を通過して室外空間へ排出される排気流路と、室内空気が第１吸着熱交換器（51）をバイパスして室内へ供給されるバイパス流路とが形成される。
【０１０１】
図５(Ｂ)に示す暖房運転時の第１バイパス動作では、室外空気が外気吸込口（24）、外気側通路（34）を順に通過して第２熱交換器室（38）へ流入し、第２吸着熱交換器（52）を通過する。第２吸着熱交換器（52）では、空気の熱が冷媒の蒸発熱として奪われ、この空気が冷却される。この空気が冷却されると、空気中の水蒸気が分圧が高くなる。このため、この空気中の水蒸気が、第２吸着熱交換器（52）の吸着剤に吸着される。第２吸着熱交換器（52）を通過した空気は、排気側通路（33）、排気口（21）を順に通過して、室外空間へ排出される。
【０１０２】
一方、室内空気は、内気吸込口（23）、内気側通路（32）を順に通過して内気バイパス流路（39）へ流入する。つまり、第１バイパス動作では、室内空気が第１吸着熱交換器（51）をバイパスし、給気側通路（31）、給気口（22）を順に通過して、室内空間へ供給される。このため、室内空気が、比較的低温の第１吸着熱交換器（51）によって冷却されることがなく、室内空間に低温の空気が供給されることもない。
【０１０３】
また、この第１バイパス動作では、第１吸着熱交換器（51）の温度が速やかに上昇していく。即ち、第１バイパス動作が実行されると、上述の第１バッチ動作において蒸発器であった第１吸着熱交換器（51）が放熱器に切り換わる。このため、第１バイパス動作の開始時には、第１吸着熱交換器（51）の温度は比較的低温となっている。一方、第１バイパス動作が実行されると、第１吸着熱交換器（51）の内部の冷媒は、扁平管（63）やフィン（64）へ放熱して凝縮していく。第１熱交換器室（37）は、各ダンパ（41,43,45,47）によって閉じきられるため、第１吸着熱交換器（51）は速やかに加熱されて温度が高くなる。
【０１０４】
第１バイパス動作が実行されてから所定時間が経過すると、上述した第２バッチ動作が実行される。すると、室内空気は、第１吸着熱交換器（51）を通過して室内空間へ供給される。しかしながら、第１吸着熱交換器（51）は、その直前に実行された第１バイパス動作において加熱されている。このため、暖房運転の第２バッチ動作の切換直後において、第１吸着熱交換器（51）を通過する空気が冷却され、比較的低温の空気が室内空間へ供給されることが回避される。
【０１０５】
［暖房運転時の第２バイパス動作］
第２バッチ動作が終了すると、図５(Ｄ)に示す第２バイパス動作が実行される。第２バイパス動作が実行されると、冷媒回路（50）では、四方切換弁（54）が第２状態に設定され、第１冷凍サイクルから第２冷凍サイクルへと切り換わる。また、暖房運転時の第２バイパス動作では、第１外気側ダンパ（43）、第１排気側ダンパ（47）、及びバイパスダンパ（49）が開状態となり、第１内気側ダンパ（41）、第２内気側ダンパ（42）、第２外気側ダンパ（44）、第１給気側ダンパ（45）、第２給気側ダンパ（46）、及び第２排気側ダンパ（48）が閉状態となる。その結果、ケーシング（11）の内部には、室外空気が第１吸着熱交換器（51）を通過して室外空間へ排出される排気流路と、室内空気が第２吸着熱交換器（52）をバイパスして室内へ供給されるバイパス流路とが形成される。
【０１０６】
図５(Ｄ)に示す暖房運転時の第２バイパス動作では、室外空気が外気吸込口（24）、外気側通路（34）を順に通過して第１熱交換器室（37）へ流入し、第１吸着熱交換器（51）を通過する。第１吸着熱交換器（51）では、空気の熱が冷媒の蒸発熱として奪われ、この空気が冷却される。この空気が冷却されると、この空気中の水蒸気分圧が高くなる。このため、この空気中の水蒸気が、第１吸着熱交換器（51）の吸着剤に吸着される。第１吸着熱交換器（51）を通過した空気は、排気側通路（33）、排気口（21）を順に通過して、室外空間へ排出される。
【０１０７】
一方、室内空気は、内気吸込口（23）、内気側通路（32）を順に通過して内気バイパス流路（39）へ流入する。つまり、第２バイパス動作では、室内空気が第２吸着熱交換器（52）をバイパスし、給気側通路（31）、給気口（22）を順に通過して、室内空間へ供給される。このため、室内空気が、比較的低温の第２吸着熱交換器（52）によって冷却されることがなく、室内空間に低温の空気が供給されることもない。
【０１０８】
また、この第２バイパス動作では、第２吸着熱交換器（52）の温度が速やかに上昇していく。即ち、第２バイパス動作が実行されると、上述の第２バッチ動作において蒸発器であった第２吸着熱交換器（52）が放熱器に切り換わる。このため、第２バイパス動作の開始時には、第２吸着熱交換器（52）の温度は比較的低温となっている。一方、第２バイパス動作が実行されると、第２吸着熱交換器（52）の内部の冷媒は、扁平管（63）やフィン（64）へ放熱して凝縮していく。第２熱交換器室（38）は、各ダンパ（42,44,46,48）によって閉じきられるため、第２吸着熱交換器（52）は速やかに冷却されて温度が低くなる。
【０１０９】
第２バイパス動作が実行されてから所定時間が経過すると、上述した第１バッチ動作が実行される。すると、室内空気は、第２吸着熱交換器（52）を通過して室内空間へ供給される。しかしながら、第２吸着熱交換器（52）は、その直前に実行された第２バイパス動作において加熱されている。このため、暖房運転の第２バッチ動作の切換直後において、第２吸着熱交換器（52）を通過する空気が冷却され、比較的低温の空気が室内空間へ供給されることが回避される。
【０１１０】
−実施形態の効果−
本実施形態の空気調和機（10）では、２つの吸着熱交換器（51,52）の扁平管（63）及びフィン（64）の表面に、それぞれ空気中の水分を吸着する吸着剤を担持させている。このため、各吸着熱交換器（51,52）で冷却された空気中の水分を吸着剤で予め吸着除去することが可能となり、扁平管（63）やフィン（64）の近傍での凝縮水の発生を防ぐことができる。その結果、冷房運転時に発生した凝縮水が空気とともに室内空間へ供給されるのを回避できる。また、暖房運転時に発生した凝縮水が室外へ飛散してしまうことも回避できる。従って、この空気調和機（10）の信頼性を確保できる。
【０１１１】
また、これらの吸着熱交換器（51,52）は、扁平管（63）やフィン（64）の表面に吸着剤を担持させるだけの比較的単純な構造である。このため、これらの吸着熱交換器（51,52）の簡素化、小型化を図ることができる。また、これらの吸着熱交換器（51,52）の加工コストや加工工数も低減できる。
【０１１２】
また、冷房運転では、２つのバッチ動作の間に、室内空気が、蒸発器となる吸着熱交換器（51,52）をバイパスして室内空間へ供給されるバイパス動作を行うようにしている。このため、冷房運転時において、室内空間へ供給される空気が一時的に上昇してしまうことを防止でき、室内の快適性を確保できる。
【０１１３】
また、暖房運転では、２つのバッチ動作の間に、室内空気が、放熱器となる吸着熱交換器（51,52）をバイパスして室内空間へ供給されるバイパス動作を行うようにしている。このため、暖房運転時において、室内空間へ供給される空気が一時的に低下してしまうことを防止でき、室内の快適性を確保できる。
【０１１４】
《その他の実施形態》
上述した実施形態においては、以下のような構成としてもよい。
【０１１５】
上記実施形態の吸着熱交換器（51,52）のフィンは、上下に配列される扁平管（63）の間に配置される波板状のコルゲートフィン（64）である。しかしながら、吸着熱交換器（51,52）のフィンとして、図６に示すような形状のフィン（80）を採用してもよい。
【０１１６】
このフィン（80）は、各扁平管（63）の間に配置されて上下に配列される複数の伝熱部（65）を一体に連結した縦長状のフィンである。具体的に、フィン（80）には、扁平管（63）よりも風下側（図６における右側）に連結板部（81）が形成されている。連結板部（81）は、上下に配列される複数の伝熱部（65）の風下側端部に連結するように上下に延びている。各伝熱部（65）と連結板部（81）との間には、扁平管（63）が挿入される切り欠き部（82）が形成される。フィン（80）と扁平管（63）とは、切り欠き部（82）に扁平管（63）を挿入した状態で、ロウ付けによって互いに接合される。
【０１１７】
フィン（80）の伝熱部（65）には、上述した実施形態のルーバ（65a）に代わって、伝熱を促進させるための複数のワッフル部（83）が形成されている。各ワッフル部（83）は、通風路側に向かって膨出し、且つ上下に縦長に形成された膨出部を構成している。この例のフィン（80）では、４つのワッフル部（83）が通風路の通風方向に配列されている。ワッフル部（83）は、伝熱部（65）の一部をプレス加工等により塑性変形させることで成形される。
【０１１８】
図６に示す例においても、扁平管（63）及びフィン（80）の表面に凝縮水を吸着する吸着剤が担持される。これにより、蒸発器となった吸着熱交換器（51,52）で発生した凝縮水を吸着剤で吸着でき、この凝縮水が室内や室外へ飛散してしまうのを防止できる。
【０１１９】
また、図３や図６に示す吸着熱交換器（51,52）において、複数の扁平管（63）を上下に起立する姿勢とし、これらの扁平管（63）を水平方向に配列する構成としてもよい。この場合にも、扁平管（63）や伝熱部（65）に吸着剤を担持することで、室内や室外への凝縮水の飛散を防止できる。
【０１２０】
また、上述した各実施形態では、扁平管（63）と伝熱部（65）（フィン（64,80））の表面に吸着剤を担持しているが、扁平管（63）と伝熱部（65）のうちのいずれか一方のみに吸着剤を担持してもよい。
【産業上の利用可能性】
【０１２１】
以上説明したように、本発明は、蒸発器で空気を冷却する冷房運転を行う空気調和機について有用である。
【符号の説明】
【０１２２】
10    空気調和機
25    排気ファン
26    給気ファン
40    空気流路切換部
50    冷媒回路
51    第１吸着熱交換器（放熱器、蒸発器、第１熱交換器）
52    第２吸着熱交換器（蒸発器、放熱器、第２熱交換器）
53    圧縮機
54    四方切換弁（冷媒流路切換部）
63    扁平管
64    伝熱部
90    コントローラ（制御部）
【図１】
2013137151.tif 000003
【図２】
2013137151.tif 000004
【図３】
2013137151.tif 000005
【図４】
2013137151.tif 000006
【図５】
2013137151.tif 000007
【図６】
2013137151.tif 000008